(57)【要約】【課題】伝送する音声データをビット毎にまとめ、音声品質への影響度に対応させて誤り訂正処理を行うことにより、通信時の音質劣化を効果的に軽減可能な送信機、受信機及び送受信システム及び方法を提供する。【解決手段】送信機１の音声品質区分部１４ｃは、蓄積した単位音声データをビット毎にまとめることで、音声品質に与える影響度毎に音声データを区分けする。誤り訂正符号化部１５は、音声品質区分部１４ｃによりビット毎に区分けされたデジタル音声データに対して、チェックサム等の誤り訂正符号を相対的な割合を調整した上で付加する。音声品質への影響度に応じて、影響度の高い符号ビットや上位ビットに対しては相対的に多い割合で誤り訂正符号を付加し、低いものには相対的に少ない割合で誤り訂正符号を付加する。送信手段により、誤り訂正符号が付加された前記伝送用データが搬送波で無線送信される。【選択図】図１
2010093755.tif 000002
【特許請求の範囲】
【請求項１】
音声入力用のマイクロフォンと、
前記マイクロフォンから入力されるアナログ音声信号をコンピュータ又は電子回路がデジタル音声データに変換するＡ／Ｄ変換手段と、
前記デジタル音声データをもとに、コンピュータ又は電子回路が誤り訂正用冗長ビット付加を含む処理により伝送用データを作成する誤り訂正符号化手段と、
前記伝送用データを搬送波で無線送信する送信手段と、
を備えた送信機において、
前記誤り訂正符号化手段は、
前記デジタル音声データをビット毎に区分けする品質区分手段と、
前記品質区分手段により区分けした各ビットに対応させて、当該ビット数の高いものから順に高い割合の前記誤り訂正用冗長ビットを付加する手段と、
を備えることを特徴とする送信機。
【請求項２】
音声の第１の伝送用データを無線受信する第１の受信手段と、
音声の第２の伝送用データを無線受信する第２の受信手段と、
コンピュータ又は電子回路が、前記第１及び２の伝送用データに付加されている誤り訂正用冗長ビットを用いてデジタル音声データを復元する誤り訂正復号化手段と、
前記デジタル音声データをコンピュータ又は電子回路がアナログ音声信号に変換するＤ／Ａ変換手段と、
変換された前記アナログ音声信号による音声を外部へ出力する手段と、
を備えた受信機において、
前記誤り訂正復号化手段は、
予めビット毎にデータが区分けされた前記第１及び２の伝送用データに対して、当該ビット数の高いものから順に高い割合で付加されている前記誤り訂正用冗長ビットを復元する冗長ビット復元手段と、
前記冗長ビット復元手段により、前記第１の伝送用データに付加された前記訂正用冗長ビットが復元された第１のデジタル音声データと、前記第２の伝送用データに付加された誤り訂正用冗長ビットが復元された第２のデジタル音声データの音声品質を対比することで当該音声品質の良好なデータを選択する選択手段と、
を備えることを特徴とする受信機。
【請求項３】
前記選択手段は、
前記第１のデジタル音声データの音声品質の劣化が所定の閾値を上回ると判断する場合には、前記第２のデジタル音声データの音声品質の劣化が所定の閾値を上回るかを判断し、
第２のデジタル音声データの音声品質の劣化が所定の閾値を上回ると判断する場合には、前記第１のデジタル音声データと前記第２のデジタル音声データを対比することで、前記音声品質の劣化の少ないデジタル音声データを選択することを特徴とする請求項２に記載の受信機。
【請求項４】
前記選択手段は、選択された前記音声品質の劣化の少ないデジタル音声データに対して、当該劣化が使用可能な範囲内にあるかを判断することを特徴とする請求項３に記載の受信機。
【請求項５】
前記音声品質の劣化は、エラーが生じているビット数に対応することを特徴とする請求項２〜４のいずれか１項に記載の受信機。
【請求項６】
請求項１に記載の送信機と、請求項２〜５項のいずれか１項に記載の受信機と、を組み合わせたことを特徴とする送受信システム。
【請求項７】
音声入力用のマイクロフォンと、
前記マイクロフォンから入力されるアナログ音声信号をコンピュータ又は電子回路がデジタル音声データに変換するＡ／Ｄ変換手段と、
前記デジタル音声データをもとに、コンピュータ又は電子回路が誤り訂正用冗長ビット付加を含む処理により伝送用データを作成する誤り訂正符号化手段と、
前記伝送用データを搬送波で無線送信する送信手段と、
を備えた送信機を用いて実行する送信方法において、
前記誤り訂正符号化手段は、
前記デジタル音声データをビット毎に区分けする品質区分ステップと、
前記品質区分ステップにより区分けした各ビットに対応させて、当該ビット数の高いものから順に高い割合の前記誤り訂正用冗長ビットを付加するステップと、
を実行することを特徴とする送信方法。
【請求項８】
音声の第１の伝送用データを無線受信する第１の受信手段と、
音声の第２の伝送用データを無線受信する第２の受信手段と、
コンピュータ又は電子回路が、前記第１及び２の伝送用データに付加されている誤り訂正用冗長ビットを用いてデジタル音声データを復元する誤り訂正復号化手段と、
前記デジタル音声データをコンピュータ又は電子回路がアナログ音声信号に変換するＤ／Ａ変換手段と、
変換された前記アナログ音声信号による音声を外部へ出力する手段と、
を備えた受信機を用いて実行する受信方法において、
前記誤り訂正復号化手段は、
予めビット毎にデータが区分けされた前記第１及び２の伝送用データに対して、当該ビット数の高いものから順に高い割合で付加されている前記誤り訂正用冗長ビットを復元する冗長ビット復元ステップと、
前記冗長ビット復元ステップにより、前記第１の伝送用データに付加された前記訂正用冗長ビットが復元された第１のデジタル音声データと、前記第２の伝送用データに付加された誤り訂正用冗長ビットが復元された第２のデジタル音声データの音声品質を対比することで当該音声品質の良好なデータを選択する選択ステップと、
を実行することを特徴とする受信方法。
【請求項９】
前記選択ステップは、
前記第１のデジタル音声データの音声品質の劣化が所定の閾値を上回ると判断する場合には、前記第２のデジタル音声データの音声品質の劣化が所定の閾値を上回るかを判断し、
第２のデジタル音声データの音声品質の劣化が所定の閾値を上回ると判断する場合には、前記第１のデジタル音声データと前記第２のデジタル音声データを対比することで、前記音声品質の劣化の少ないデジタル音声データを選択することを特徴とする請求項８に記載の受信方法。
【請求項１０】
前記選択手ステップは、選択された前記音声品質の劣化の少ないデジタル音声データに対して、当該劣化が使用可能な範囲内にあるかを判断することを特徴とする請求項９に記載の受信方法。
【請求項１１】
前記音声品質の劣化は、エラーが生じているビット数に対応することを特徴とする請求項８〜１０のいずれか１項に記載の受信方法。
【請求項１２】
請求項７に記載の送信方法と、請求項８〜１１項のいずれか１項に記載の受信方法と、を組み合わせて実行することを特徴とする送受信方法。
【発明の詳細な説明】
【技術分野】
【０００１】
本発明は、音声をデジタルデータとして送受信する技術の改良に係り、特に、誤り訂正機能を有する技術に関する。
【背景技術】
【０００２】
近年、デジタル技術の進歩に伴い、無線通信の分野においても音声伝送もデジタル化が急速に進んでいる。ここで、音声などのデジタルデータ伝送では、送信側で送信データに冗長性を付与することで、受信側において追加情報を送信側に要求することなく誤りを検出し訂正する誤り検出・訂正の技術が用いられている。
【０００３】
例えば、この技術は、送信側で送信データに、チェックサムなどと呼ばれる冗長ビットを付加することにより、受信側で受信データの誤り検出や訂正を行うものである（例えば、特許文献１参照）。その代表例として、垂直パリティチェック方式、水平パリティチェック方式、ハミング符号方式、ＣＲＣ方式、リードソロモン符号方式、畳み込み符号方式、ビダビ復号方式、ターボ符号方式などがあり、例えば、ハミング符号方式は、誤りの検出だけでなく訂正まで行う用途に適している。
【特許文献１】特開２０００−３５３９６８
【発明の開示】
【発明が解決しようとする課題】
【０００４】
ところで、伝送データのうち訂正が可能な誤りの割合は、伝送データ本体に対する冗長データ割合の大きさに関連する。例えば、ワイヤレスマイクシステムにおけるデータ伝送の単位量をシンボルと呼ぶこととするが、あるデータ量のなかで何シンボルまで誤り訂正できるかは、そのデータ量に対して付加される冗長データ量に比例する。
【０００５】
しかしながら、データ伝送速度（帯域幅）の限界から、単位時間あたり伝送できるシンボル数には制約があるため、付加できる冗長データの量にも限界がある。そして、従来のワイヤレスマイクシステムでは、送信データのどの部分に対しても、所定割合の冗長データすなわちチェックサムを均等に割り当てていた結果、全てのシンボルに対して十分効果的な誤り訂正処理を行うことができないという問題があった。
【０００６】
例えば、送信機としてワイヤレスマイクを用いた場合では、使用周波数帯域や、壇上等で使用者が持って歩き回る用途などから、搬送波の電波状況が変化しやすい特性があり、たまたま符号ビットなどデータの重要部分について誤りが多くなって訂正し切れない場合、極端なノイズや音途切れを始めとする音質劣化など音響上の不都合が生じる。
【０００７】
本発明は、上記のような従来技術の課題を解消するものであって、その目的は、誤り訂正機能を有するデジタルデータの送受信技術であって、伝送する音声データをビット毎にまとめ、音声品質への影響度に対応させて誤り訂正処理を行うことにより、通信時の音質劣化を効果的に軽減可能な送信機、受信機及び送受信システム及び方法を提供することにある。
【課題を解決するための手段】
【０００８】
前記の目的を達成するために、請求項１の発明は、音声入力用のマイクロフォンと、前記マイクロフォンから入力されるアナログ音声信号をコンピュータ又は電子回路がデジタル音声データに変換するＡ／Ｄ変換手段と、前記デジタル音声データをもとに、コンピュータ又は電子回路が誤り訂正用冗長ビット付加を含む処理により伝送用データを作成する誤り訂正符号化手段と、前記伝送用データを搬送波で無線送信する送信手段と、を備えた送信機において、前記誤り訂正符号化手段は、前記デジタル音声データをビット毎に区分けする品質区分手段と、前記品質区分手段により区分けした各ビットに対応させて、当該ビット数の高いものから順に高い割合の前記誤り訂正用冗長ビットを付加する手段と、を備えることを特徴とする。
【０００９】
請求項２の発明は、音声の第１の伝送用データを無線受信する第１の受信手段と、音声の第２の伝送用データを無線受信する第２の受信手段と、コンピュータ又は電子回路が、前記第１及び２の伝送用データに付加されている誤り訂正用冗長ビットを用いてデジタル音声データを復元する誤り訂正復号化手段と、前記デジタル音声データをコンピュータ又は電子回路がアナログ音声信号に変換するＤ／Ａ変換手段と、変換された前記アナログ音声信号による音声を外部へ出力する手段と、を備えた受信機において、前記誤り訂正復号化手段は、予めビット毎にデータが区分けされた前記第１及び２の伝送用データに対して、当該ビット数の高いものから順に高い割合で付加されている前記誤り訂正用冗長ビットを復元する冗長ビット復元手段と、前記冗長ビット復元手段により、前記第１の伝送用データに付加された前記訂正用冗長ビットが復元された第１のデジタル音声データと、前記第２の伝送用データに付加された誤り訂正用冗長ビットが復元された第２のデジタル音声データの音声品質を対比することで当該音声品質の良好なデータを選択する選択手段と、を備えることを特徴とする。
【００１０】
請求項３の発明は、請求項２に記載の受信機において、前記選択手段は、前記第１のデジタル音声データの音声品質の劣化が所定の閾値を上回ると判断する場合には、前記第２のデジタル音声データの音声品質の劣化が所定の閾値を上回るかを判断し、第２のデジタル音声データの音声品質の劣化が所定の閾値を上回ると判断する場合には、前記第１のデジタル音声データと前記第２のデジタル音声データを対比することで、前記音声品質の劣化の少ないデジタル音声データを選択することを特徴とする。
【００１１】
請求項４の発明は、請求項３に記載の受信機において、前記選択手段は、選択された前記音声品質の劣化の少ないデジタル音声データに対して、当該劣化が使用可能な範囲内にあるかを判断することを特徴とする。
【００１２】
請求項５の発明は、請求項２〜４のいずれか１項に記載の受信機において、前記音声品質の劣化は、エラーが生じているビット数に対応することを特徴とする。
【００１３】
請求項６の発明は、請求項１に記載の送信機と、請求項２〜５項のいずれか１項に記載の受信機と、を組み合わせたことを特徴とする。
【００１４】
なお、本発明は、以上の発明を方法の観点から捉えた、送信機を用いた送信方法、受信機を用いた受信方法、送信機及び受信機を用いた送受信方法としても包含する概念である。
【発明の効果】
【００１５】
以上のように本発明によれば、伝送する音声データをビット毎にまとめ、音声品質への影響度に対応させて誤り訂正処理を行うことにより、通信時の音質劣化を効果的に軽減することができ、さらに、複数の音声データを受信し劣化度合いを比較することで、エラーが生じている場合であっても音声品質の良好な音声データを選択し出力することが可能となる。
【発明を実施するための最良の形態】
【００１６】
［本実施形態］
次に、本発明を実施するための最良の実施形態について、図１〜５を参照して以下に詳述する。なお、送受信システムにおける送信機の構成を図１に示し、受信機の構成を図２に示す。また、送信機における処理手順を図４のフローチャートで示し、受信機における処理手順を図５のフローチャートに示す。
【００１７】
［１．構成］
まず、本実施形態を構成する主な要素を説明するが、構成要素によっては後に作用の項で説明する。
【００１８】
［１．１．全体構成］
本実施形態に係る送受信システムでは、図１及び２に示すように、例えば、ワイヤレスマイクである送信機１と、受信機２と、を組み合わせてハミング符号方式などによる誤り訂正を実現する。また、本実施形態は、送信機１におけるデータ送信方法、受信機２におけるデータ受信方法、送信機１と受信機２におけるデータ送受信方法としても把握できる。
【００１９】
［１．２．送信機の構成］
送信機１は、図１の機能ブロック図のように構成される。つまり、マイクロフォン（マイク）１１は音声入力用であり、Ａ／Ｄ変換部１３は、マイク１１から入力され増幅器１２が増幅したアナログ音声信号をコンピュータ又は電子回路がデジタル音声データに変換するＡ／Ｄ変換手段である。
【００２０】
また、音声コーデック１４ａ（ＣＯＤＥＣ）は、Ａ／Ｄ変換部１３によって変換された前記デジタル音声データをもとに、音声圧縮符号化処理を行うことで圧縮済データに加工する。数十サンプルバッファ１４ｂは、この圧縮済データを所定数、すなわち数十サンプル分ずつを伝送の単位音声データとしてまとめて蓄積する。
【００２１】
音声品質区分部１４ｃは、蓄積した単位音声データをビット毎にまとめることで、音声品質に与える影響度毎に音声データを区分けする。すなわち、ビット毎に音声データをまとめるので、音声データの符号ビットや上位ビット等の誤りにより音声品質に与える影響度が大きい部分や、それ以外の比較的音声品質への影響度が小さい部分に対応して区分される。ここで、ビット毎に音声データをまとめるとは、図３に示すように、一例として、４ビットの音声データで言えば、この音声データを上位ビットから下位ビット毎（３ビット群、２ビット群、１ビット群、・・・）にまとめた状態を示す。
【００２２】
また、例えば、ＰＣＭ符号化やＡＤＰＣＭを用いる場合、音の変化量の大きい符号は上位ビットに含まれ、それ以外の比較的変化量の小さい符号は下位ビットに含まれるので、ビット毎の音声データの区分は、音声品質への影響度に対応したものとなる。なお、音声コーデック１４ａ〜音声品質区分部１４ｃが音声処理部に相当する。
【００２３】
誤り訂正符号化部１５は、音声品質区分部１４ｃによりビット毎に区分けされたデジタル音声データに対して、チェックサム等の誤り訂正符号を相対的な割合を調整した上で付加する。すなわち、音声品質への影響度に応じて、影響度の高い符号ビットや上位ビットに対しては相対的に多い割合で誤り訂正符号を付加し、影響度の低い下位ビットに対しては影響度の高いデータの場合よりも相対的に少ない割合で誤り訂正符号を付加する。なお、前記音声処理部と誤り訂正符号化部１５が誤り訂正符号化手段に対応する。
【００２４】
チャネルコーデック１６は、チャネル圧縮符号化処理を行うことで特定のチャネルに加工する。また、ベースバンド処理部１７及び無線部１８は、前記伝送用データを搬送波で無線送信する送信手段を構成する。
【００２５】
制御部１９は、コンピュータ又は電子回路から構成され、Ａ／Ｄ変換部１３、音声コーデック１４ａ、数十サンプルバッファ１４ｂ、音声品質区分部１４ｃ、誤り訂正符号化部１５、チャネルコーデック１６及びベースバンド処理部１７を制御し、また、操作部２０ａと表示部２０ｂが接続されている。
【００２６】
［１．３．受信機の構成］
受信機２の構成は、図２の機能ブロック図に示すように構成される。
アンテナが接続される無線部２１Ａとベースバンド処理部２２Ａは、音声の伝送用データを無線受信する受信手段を構成する。
【００２７】
チャネルコーデック２３Ａは、受信した伝送用データに圧縮された特定のチャネルを伸張し、誤り訂正復号化部２４Ａが、この伝送用データに付加されている誤り訂正用冗長ビットを用いてデジタル音声データに復元する。なお、図２のとおり、受信機２では、無線部２１Ａ〜誤り訂正復号化部２４Ａに加え、同様の構成である無線部２１Ｂ〜訂正復号化部２４Ｂを備えており、無線部２１Ａ〜誤り訂正復号化部２４Ａを介するデータをＡｃｈ、無線部２１Ｂ〜訂正復号化部２４Ｂを介するデータをＢｃｈとする。また、無線部２１Ｂには別途アンテナが接続されている。
【００２８】
上記誤り訂正復号化部２４Ａ及び２４Ｂは、ビット毎にまとめられた音声データにおいて、音声品質への影響度が高いものに対しては（符号ビットや上位ビット）、その他の部分よりも高い割合で付加されている誤り訂正用冗長ビットを復元し、音声品質への影響度が低いものに対しては（下位ビット）、影響度の高い部分よりも低い割合で付加されている誤り訂正用冗長ビットを復元する。
【００２９】
選択部２５は、誤り訂正復号化部２４Ａ及び２４Ｂにより復号化されたＡｃｈのデジタル音声データとＢｃｈのデジタル音声データの劣化度合いから音声品質が良好なデータを選択し復元するものであり、具体的な処理は「２．作用」の項目で詳述する。なお、誤り訂正復号化部２４、選択部２５と下記に示す音声コーデック２６が誤り訂正復号化手段に対応する（訂正復号化部２４が冗長ビット復元手段に対応し、選択部２５が選択手段に対応する。）。
【００３０】
音声コーデック（ＣＯＤＥＣ）２６は、圧縮された単位音声データを再生用の非圧縮形式のデジタルデータに復元する。Ｄ／Ａ変換部２７は、このデジタル音声データをアナログ音声信号に変換するＤ／Ａ変換手段であり、増幅器２８及びスピーカ２９は、変換された前記アナログ音声信号による音声を外部へ出力する手段である。
【００３１】
制御部３０は、コンピュータ又は電子回路から構成され、誤り訂正復号化部２４Ａ及び２４Ｂ、選択部２５、音声コーデック２６、Ｄ／Ａ変換部２７、を制御し、また、表示部３１が接続されている。
【００３２】
［２．作用］
次に、上記のような本実施形態に係る作用を図４及び５のフローチャートを参照して以下に説明する。
【００３３】
［２．１．送信］
まず、本実施形態において、送信機１が音声を送信するときの処理手順を図４のフローチャートに示す。
【００３４】
［２．１．１．デジタル化まで］
送信の際は、まず、送信機１では、マイク（マイクロフォン）１１が入力される音声を電気的なアナログ音声信号に変換し、このアナログ音声信号を増幅器１２が所定のレベルに増幅する。この増幅されたアナログ音声信号をＡ／Ｄ（アナログ→デジタル）変換部１３が所定のサンプリング周波数や量子化ビット数などの条件に応じたデジタル音声データに変換する（ステップ０１）。
【００３５】
［２．１．２．圧縮］
そして、まず、Ａ／Ｄ変換部１３によって変換された前記デジタル音声データをもとに、音声コーデック（ＣＯＤＥＣ）１４ａが音声圧縮符号化処理を行うことにより（ステップ０２）、圧縮済データに加工する。
【００３６】
［２．１．３．品質区分］
この圧縮済データを数十サンプルバッファ１４ｂが、所定数すなわち数十サンプル分ずつを伝送の単位音声データとしてまとめて蓄積し（ステップ０３）、音声品質区分部１４ｃは、その単位音声データをビット毎にまとめることで、音声品質に与える影響度毎に音声データを区分けする（ステップ０４）。具体的には、音声データは、符号ビットや上位ビット等の誤りにより音声品質に与える影響が大きい部分やそれ以外の比較的音声品質への影響が少ない他の部分とを有するので、ビット毎に当該音声データをまとめることで、音声品質への影響度に対応した音声データの区分けが可能となる。
【００３７】
［２．１．４．誤り訂正符号化］
以上のように音声品質区分部１４ｃによりビット毎に区分けされたデータ群に対して、誤り訂正符号化部１５は、各ビットに対応させて相対的な割合を調整したチェックサム等の誤り訂正符号を付加する（ステップ０５）。すなわち、誤り訂正符号化部１５は、音声品質への影響度の高い符号ビットや上位ビットに対しては相対的に多い割合で誤り訂正符号を付加し、影響度の低い下位ビットに対しては影響度の高いデータの場合よりも相対的に少ない割合で誤り訂正符号を付加する。
【００３８】
例えば、伝送データ本体１００シンボルあたり計１０シンボルまで訂正可能な場合、訂正符号化部１４は、例えば、符号ビットに１．８シンボル（チェックサムデータ量３．６シンボル）、９ビットに１．６シンボル（チェックサムデータ量３．２シンボル）、８ビットに１．４シンボル（チェックサムデータ量２．８シンボル）、・・・、０ビットに０シンボル（チェックサムデータ量０シンボル）を割り当てる。これにより、重要な部分の受信感度が向上し、結果として音質の劣化を軽減できる。
【００３９】
［２．１．５．無線送信］
以上のように、ビット毎に誤り訂正符号を付された音声データ群は、必要なインターリーブ処理（ステップ０６）、フレームの付加（ステップ０７）、ＩＱ信号の出力などを経て、ベースバンド処理部１７が搬送波にのせ、アンテナを備えた無線部１８から送信する（ステップ０８、０９）。
【００４０】
［２．２．受信］
次に、本実施形態において、受信機２が伝送用データを受信するときの処理手順を図５のフローチャートに示す。
【００４１】
［２．２．１．受信と誤り訂正符号化］
具体的には、まず、アンテナを備えた第１の無線部２１Ａで受信した搬送波から（図２）、ベースバンド処理部２２Ａによるベースバンド処理（図５のステップ２１）により受信データを復調し、必要なフレーム除去（ステップ２２）、デインターリーブ処理（ステップ２３）などにより、送信された伝送用データであるビット毎のデータ群（Ａｃｈとする）を取り出す。一方、別途アンテナを備えた第２の無線部２１Ｂで受信した搬送波からも、ベースバンド処理部２２Ｂによるベースバンド処理（ステップ２１）により受信データを復調し、必要なフレーム除去（ステップ２２）、デインターリーブ処理（ステップ２３）などにより、送信された伝送用データであるビット毎のデータ群（Ｂｃｈとする）を取り出す。
【００４２】
そして、誤り訂正復号化部２４Ａは、Ａｃｈの取り出したデータ群に付加されている誤り訂正用冗長ビットを用いてデジタル音声データに復元する（ステップ２４）。具体的には、ビット毎にまとめられた音声データにおいて、音声品質への影響度が高いものに対しては（符号ビットや上位ビット）、その他の部分よりも高い割合で付加されている誤り訂正用冗長ビットを復元し、音声品質への影響度が低いものに対しては（下位ビット）、影響度の高い部分よりも低い割合で付加されている誤り訂正用冗長ビットを復元する。また、誤り訂正復号化部２４Ｂでは、上記と同様に、Ｂｃｈの取り出したデータ群に付加されている誤り訂正用冗長ビットを用いてデジタル音声データに復元する。
【００４３】
［２．２．２．データの選択］
選択部２５は、誤り訂正復号化部２４Ａ及び２４Ｂにより復号化されたＡｃｈのデジタル音声データとＢｃｈのデジタル音声データの劣化度合いから音声品質が良好なデータを下記のように選択する。まず、訂正処理後のＡｃｈの音声データにエラーが生じているかを判断し（ステップ２５）、Ａｃｈの音声データにエラーが生じていなければ（ステップ２５のＹＥＳ）、このＡｃｈのビット毎、すなわち品質毎に区分けされた音声データが復元される（ステップ２６）。
【００４４】
ここで、エラーが生じているかは、例えば、Ａｃｈの音声データにおいて、エラーが生じたビット数が所定の閾値よりも多いか否かにより判断され、所定の閾値よりも少なければＡｃｈの音声データが復元される。
【００４５】
Ａｃｈの音声データにエラーが生じている場合には（ステップ２５のＮＯ）、Ｂｃｈの音声データにエラーが生じているかが判断される（ステップ２７）。Ｂｃｈの音声データにエラーが生じていなければ（ステップ２７のＹＥＳ）、このＢｃｈの品質毎に区分けされた音声データが復元される（ステップ２６）。
【００４６】
そして、Ｂｃｈの音声データにもエラーが生じている場合には（ステップ２７のＮＯ）、Ａｃｈの音声データとＢｃｈの音声データに各々生じているエラーのビット数を対比することで、どちらの音声データが劣化しているかが判断される（ステップ２８）。つまり、エラーが生じているビット数の多い音声データの方が劣化は大きく、エラーが生じているビット数の少ない音声データは劣化が小さい。
【００４７】
Ａｃｈの音声データの方が劣化が小さいと判断された場合には（ステップ２８のＡｃｈ）、当該Ａｃｈの音声データの劣化度合いが使用可能な範囲内にあるかが判断される（ステップ２９）。ここで、音声データの劣化度合いの使用可能な範囲とは、エラーが生じているビットに応じて定めることができ、例えば、０ビット目までにエラーが生じても使用可能な範囲内とするか、あるいは、１ビット目までにエラーが生じても使用可能な範囲内とするか、などに設定される。
【００４８】
Ａｃｈの音声データの劣化度合いが使用可能な範囲内にあると判断された場合には（ステップ２９のＹＥＳ）、Ａｃｈの品質毎に区分けされたこの音声データが復元される（ステップ２６）。Ａｃｈの音声データの劣化度合いが使用可能な範囲内にないと判断された場合には（ステップ２９のＮＯ）、音声出力はされず、処理は終了する。
【００４９】
また、ステップ２８において、Ｂｃｈの音声データの方がＡｃｈの音声データよりも劣化が小さいと判断された場合には（ステップ２８のＢｃｈ）、当該Ｂｃｈの音声データの劣化度合いが使用可能な範囲内にあるかが判断される（ステップ３０）。使用可能な範囲内にあると判断された場合には（ステップ３０のＹＥＳ）、Ｂｃｈの品質毎に区分けされたこの音声データが復元される（ステップ２６）。Ｂｃｈの音声データの劣化度合いが使用可能な範囲内にないと判断された場合には（ステップ３０のＮＯ）、音声出力はされず処理は終了する。
【００５０】
［２．２．３．伸張と再生］
ステップ２６において復元された音声データは圧縮されたものであり、その圧縮された単位音声データを、音声コーデック（ＣＯＤＥＣ）２６が再生用の非圧縮形式のデジタルデータに復元する（ステップ３１）。
【００５１】
そして、このデジタルデータを、Ｄ／Ａ（デジタル→アナログ）変換部２７が所定のサンプリング周波数や量子化ビット数などの条件に応じてアナログ音声信号にＤ／Ａ変換し（ステップ３２）、増幅器２８を通じスピーカ２９から音声出力する（ステップ３３）。
【００５２】
［３．効果］
以上のような本実施形態によれば、伝送する音声データをビット毎にまとめ、音声品質への影響度に対応させて誤り訂正処理を行うことにより、通信時の音質劣化を効果的に軽減することができ、さらに、複数の音声データを受信し劣化度合いを比較することで、エラーが生じている場合であっても音声品質の良好な音声データを選択し出力することが可能となる。
【００５３】
［他の実施形態］
なお、本発明は、上記のように実施形態において、伝送方式によってはインターリーブ処理やフレームの付加等は必須ではなく、また、増幅器２７やスピーカ２８は、本発明を構成する受信機２とは別体に構成してもよい。
【図面の簡単な説明】
【００５４】
【図１】本発明の実施形態における送信機の構成を示す機能ブロック図。
【図２】本発明の実施形態における受信機の構成を示す機能ブロック図。
【図３】本発明の実施形態に係りビット毎にまとめた音声データ例を示す図。
【図４】本発明の実施形態における送信側の処理手順を示すフローチャート。
【図５】本発明の実施形態における受信側の処理手順を示すフローチャート。
【符号の説明】
【００５５】
１…送信機
２…受信機
１１…マイク
１２…増幅器
１３…Ａ／Ｄ変換部
１４ａ…音声コーデック
１４ｂ…数十サンプルバッファ
１４ｃ…音声品質区分部
１５…訂正符号化部
１６…チャネルコーデック
１７…ベースバンド処理部
１８…無線部
１９…制御部
２０ａ…操作部
２０ｂ…表示部
２１Ａ、２１Ｂ…無線部
２２Ａ、２２Ｂ…ベースバンド処理部
２３Ａ、２３Ｂ…チャネルコーデック
２４Ａ、２４Ｂ…訂正復号化部
２５…選択部
２６…音声コーデック
２７…Ｄ／Ａ変換部
２８…増幅器
２９…スピーカ
３０…制御部
３１…表示部
【図１】
2010093755.tif 000003
【図２】
2010093755.tif 000004
【図３】
2010093755.tif 000005
【図４】
2010093755.tif 000006
【図５】
2010093755.tif 000007